(57)【要約】【課題】カメラ本体の密閉構造を維持したまま発熱部において発生した熱をカメラ外部に放出することができる。【解決手段】冷却装置６を着脱可能な電子カメラであって、カメラ筐体４内の少なくとも1つの発熱部１０において発生した熱を取り込む少なくとも1つの受熱部１２ａと、前記カメラ筐体の外壁に設けられた放熱部２０と、前記少なくとも１つの受熱部と前記放熱部とを熱的に接続する熱伝達部１４ａと、前記カメラ筐体に前記放熱部を冷却する前記冷却装置を取付ける取付部２２とを備える。【選択図】図１
2013175959.tif 000002
【特許請求の範囲】
【請求項１】
冷却装置を着脱可能な電子カメラであって、
カメラ筐体内の少なくとも1つの発熱部において発生した熱を取り込む少なくとも1つの受熱部と、
前記カメラ筐体の外壁に設けられた放熱部と、
前記少なくとも１つの受熱部と前記放熱部とを熱的に接続する熱伝達部と、
前記カメラ筐体に前記放熱部を冷却する前記冷却装置を取付ける取付部と
を備えることを特徴とする電子カメラ。
【請求項２】
前記放熱部を覆う断熱カバーを備えることを特徴とする請求項１に記載の電子カメラ。
【請求項３】
前記冷却装置を作動させるための所定の信号を前記冷却装置に対して出力する出力部を備えることを特徴とする請求項１または２に記載の電子カメラ。
【請求項４】
前記所定の信号は、録画中であることを示す信号または前記発熱部が所定の温度以上となったことを示す信号であることを特徴とする請求項１〜３の何れか一項に記載の電子カメラ。
【請求項５】
前記放熱部は、波型形状に加工された表面を有することを特徴とする請求項１〜４の何れか一項に記載の電子カメラ。
【請求項６】
カメラ筐体内に少なくとも1つの発熱部を有し、前記少なくとも1つの発熱部において発生した熱が前記カメラ筐体の外壁に設けられた放熱部に伝達される電子カメラに着脱可能な冷却装置であって、
該冷却装置を前記カメラ筐体に取付ける取付部と、
前記取付部により該冷却装置を前記カメラ筐体に取付けたときに前記放熱部と熱的に接続される冷却部と、
前記冷却部を冷却する冷却手段と
を備えることを特徴とする冷却装置。
【請求項７】
前記電子カメラから、前記冷却手段による前記冷却部の冷却の開始を指示する所定の信号を入力する入力部を備えることを特徴とする請求項６に記載の冷却装置。
【請求項８】
前記所定の信号は、前記電子カメラが録画中であることを示す信号または前記電子カメラの発熱部が所定の温度以上となったことを示す信号であることを特徴とする請求項６または７に記載の冷却装置。
【請求項９】
前記冷却手段は、前記冷却部に対して外気を送風するファンであることを特徴とする請求項６〜８の何れか一項に記載の冷却装置。
【請求項１０】
前記冷却部の冷却側表面は、フィン形状に加工されていることを特徴とする請求項６〜９の何れか一項に記載の冷却装置。
【請求項１１】
前記冷却部の前記電子カメラ側の表面は、波型形状に加工された表面を有する前記放熱部と密着するように表面が波型形状に加工された熱伝導性樹脂を備えることを特徴とする請求項６〜１０の何れか一項に記載の冷却装置。
【発明の詳細な説明】
【技術分野】
【０００１】
本発明は、放熱機能を有する電子カメラ及び該カメラに着脱可能な冷却装置に関するものである。
【背景技術】
【０００２】
従来、発熱部において発生した熱をカメラ外部に放出する手段を備えた電子カメラが存在する（例えば、特許文献１参照）。この電子カメラによれば、吸気口からカメラボディ内に取り込まれた外気が送風ダクトを介して発熱部に導かれ、発熱部及びその周辺の熱せられた空気がファンによって強制的にカメラ外部に排気される。
【先行技術文献】
【特許文献】
【０００３】
【特許文献１】特開２００９−７１５１６号公報
【発明の概要】
【発明が解決しようとする課題】
【０００４】
しかし、この電子カメラにおいては、カメラボディ内に外気を送風するための送風ダクトを設ける必要があり、カメラ本体の密閉構造を維持したまま発熱部において発生した熱をカメラ外部に放出することができなかった。このため、外気と共にゴミや粉塵等の異物がカメラボディ内に入るおそれがあった。
本発明の目的は、カメラ本体の密閉構造を維持したまま発熱部において発生した熱をカメラ外部に放出することができる電子カメラ及び該カメラに着脱可能な冷却装置を提供することである。
【課題を解決するための手段】
【０００５】
本発明は以下のような解決手段により上記課題を解決する。なお、理解を容易にするために、本発明の実施の形態に対応する符号を付して説明するが、本発明はこれに限定されるものではない。
【０００６】
本発明の電子カメラ（２）は、冷却装置（６）を着脱可能な電子カメラであって、カメラ筐体（４）内の少なくとも1つの発熱部（１０）において発生した熱を取り込む少なくとも1つの受熱部（１２ａ）と、前記カメラ筐体の外壁に設けられた放熱部（２０）と、前記少なくとも１つの受熱部と前記放熱部とを熱的に接続する熱伝達部（１４ａ，１４ｂ）と、前記カメラ筐体に前記放熱部を冷却する前記冷却装置を取付ける取付部（２２）とを備えることを特徴とする。
【０００７】
また、本発明の冷却装置（６）は、カメラ筐体（４）内に少なくとも1つの発熱部（１０）を有し、前記少なくとも1つの発熱部において発生した熱が前記カメラ筐体の外壁に設けられた放熱部（２０）に伝達される電子カメラに着脱可能な冷却装置であって、該冷却装置を前記カメラ筐体に取付ける取付部（２６）と、前記取付部により該冷却装置を前記カメラ筐体に取付けたときに前記放熱部と熱的に接続される冷却部（２８）と、前記冷却部を冷却する冷却手段（３４）とを備えることを特徴とする。
【発明の効果】
【０００８】
本発明によれば、カメラ本体の密閉構造を維持したまま発熱部において発生した熱をカメラ外部に放出することができる。
【図面の簡単な説明】
【０００９】
【図１】実施の形態に係る電子カメラの内部の放熱構造を示す正面図である。
【図２】実施の形態に係る電子カメラの内部の放熱構造を示す側面図である。
【図３】実施の形態に係る電子カメラの放熱部及び冷却部を示す図である。
【図４】実施の形態に係る電子カメラのシステム構成を示すブロック図である。
【図５】実施の形態に係る電子カメラにおける処理を示すフローチャートである。
【図６】実施の形態に係る電子カメラの断熱カバーを示す図である。
【発明を実施するための形態】
【００１０】
以下、図面を参照して本発明の実施の形態に係る電子カメラについて説明する。図１は、実施の形態に係る電子カメラの内部の放熱構造を示す正面図であり、図２は、その側面図である。電子カメラ２はカメラ筐体４に対して冷却装置６を着脱することができる。
【００１１】
カメラ筐体４の内部には、撮影レンズ８を介した被写体光を撮像して撮像信号を生成する撮像素子１０、撮像素子１０の背面に密着した状態で固定される第１の受熱部１２ａ、一方の端部が第１の受熱部１２ａに接続され他方の端部が後述する放熱部２０に接続される、棒状または帯状の第１の熱伝達部１４ａ、画像処理用のＡＳＩＣ（Application Specific Integrated Circuit）である画像処理部１６、画像処理部１６の背面に密着した状態で固定される第２の受熱部１２ｂ、一方の端部が第２の受熱部１２ｂに接続され他方の端部が後述する放熱部２０に接続される、棒状または帯状の第２の熱伝達部１４ｂ及び第１の熱伝達部１４ａ及び第２の熱伝達部１４ｂを支持しカメラ筐体４の内部の所定の位置に固定する断熱性の高い支持部材１８が設けられている。
【００１２】
また、カメラ筐体４の下面の外壁には、第１の熱伝達部１４ａ及び第２の熱伝達部１４ｂの他方の端部と接続される放熱部２０、冷却装置６をカメラ筐体４に取付ける取付部２２及び冷却装置６との間の通信を行う出力部であるコネクタ２４が設けられている。
【００１３】
冷却装置６の上面には、冷却装置６をカメラ筐体４に取付ける取付部２６、冷却装置６をカメラ筐体４に取付けたときにカメラ筐体４の放熱部２０と密着する冷却部２８、冷却装置６をカメラ筐体４に取付けたときにカメラ筐体４に設けられたコネクタ２４に接続され、電子カメラ２との間の通信を行う入力部であるコネクタ３０が設けられている。ここで、第１の受熱部１２ａ、第２の受熱部１２ｂ、第１の熱伝達部１４ａ、第２の熱伝達部１４ｂ、放熱部２０及び冷却部２８は、それぞれ銅やアルミニウム等の熱伝導率の高い金属材料で構成されており、冷却装置６の筐体は熱伝導率の低い部材で構成されている。また、図３に示すように、放熱部２０の冷却部２８側の表面は波型形状に加工されており、冷却部２８のカメラ筐体４側の表面には放熱部２０の表面に対応する形状に加工された熱伝導性樹脂３８が固定されている。これにより、放熱部２０と冷却部２８の密着性を向上させている。また、冷却部２８の冷却側の表面は、放熱面積を大きくするためフィン形状に加工されている。
【００１４】
また、冷却装置６の内部には、吸気口３２から取り込まれた外気を冷却装置６の内部に送風するファン３４が設けられており、ファン３４により冷却装置６の内部に送風された空気が冷却部２８に吹き付けられた後に排気口３６から排気される。
【００１５】
次に、この実施の形態に係る電子カメラ２の放熱処理について説明する。撮像素子１０において発生した熱は、撮像素子１０の背面から第１の受熱部１２ａに対して伝達され、第１の熱伝達部１４ａを介して放熱部２０に伝達される。また、画像処理部１６において発生した熱は、画像処理部１６の背面から第２の受熱部１２ｂに対して伝達され、第２の熱伝達部１４ｂを介して放熱部２０に伝達される。放熱部２０に伝達された熱は、カメラ筐体４に冷却装置６が取り付けられている場合にはさらに冷却部２８に伝達される。ここで、放熱部２０の冷却部２８側の表面は波型形状に加工され、冷却部２８のカメラ筐体４側の表面には、放熱部２０の表面に対応する形状に加工された熱伝導性樹脂３８が固定されているため（図３参照）、放熱部２０の放熱面積及び冷却部２８の受熱面積が大きくなり、放熱部２０から冷却部２８への熱伝達を効果的に行うことができる。また、冷却装置６をカメラ筐体４から取り外した場合においても、放熱部２０の放熱面積が大きいため、放熱部２０から効果的に放熱することができる。
【００１６】
放熱部２０から冷却部２８へ伝達された熱は、冷却部２８の冷却側の表面から冷却装置６の内部に放熱される。ここで、冷却部２８の冷却側の表面は、放熱面積を大きくできるようにフィン形状に加工されているため（図３参照）効果的に放熱が行われる。また、ファン３４により冷却装置６の内部に外気が送風されると、冷却部２８及びその周辺の熱せられた空気が強制的に排気されることにより冷却部２８が冷却されて放熱が促進される。
【００１７】
図４は、実施の形態に係る電子カメラのシステム構成を示すブロック図である。電子カメラ２は装置全体を統括的に制御するＣＰＵ４０を備え、ＣＰＵ４０には、操作部４２、カメラ筐体４の背面に設けられた表示部４４の表示制御を行う表示制御部４６、撮像素子１０、撮像素子１０から出力された撮像信号を図示しないＡ／Ｄ変換部においてＡ／Ｄ変換することにより生成された画像データを一時的に記憶する画像記憶部４８、画像記憶部４８に記憶されている画像データに所定の画像処理を行う画像処理部１６、撮像された画像の画像データ及び音声データ等を記憶するメモリカード５１、バッテリ５２から電子カメラ２内の各部への電力の供給を制御する電源制御部５４及びＣＰＵ４０からの制御信号の出力及びバッテリ５２からの電力供給を行うコネクタ２４が接続されている。
【００１８】
ここで、操作部４２には、それぞれ図示しない電源スイッチ、シャッタボタン、動画撮影モードを設定するモード設定ボタン、動画の撮影の停止を指示する停止ボタン等が含まれている。また、冷却装置６には、コネクタ３０から入力された制御信号及び電力に基づいてファン３４の駆動制御を行う駆動制御部５６が設けられている。
【００１９】
次に、図５に示すフローチャートを参照して実施の形態に係る電子カメラ２の処理について説明する。まず、カメラ筐体４に冷却装置６を取付けた状態において電源スイッチがオンされると（ステップＳ１）、電源制御部５４によりバッテリ５２からＣＰＵ４０、撮像素子１０及び画像処理部１６等に対して電力の供給が行われる。ＣＰＵ４０は、電子カメラ２のモードを表示部４４においてスルー画像を表示するライブビューモードに設定し（ステップＳ２）、撮像素子１０によりスルー画像の撮像を開始し、撮像素子１０から出力された画像データに対して画像処理部１６により所定の画像処理を行い、画像データに基づくスルー画像を表示部４４に表示する（ステップＳ３）。この場合、撮像素子１０及び画像処理部１６において発生した熱は、図１〜３を用いて説明した放熱経路を経て冷却部２８から放熱される。
【００２０】
次に、モード設定ボタンが操作されることにより動画撮影モードが設定され（ステップＳ４）、シャッタボタンが操作されると、撮像素子１０から出力された画像データに基づく動画データの記録が開始される（ステップＳ５）。ＣＰＵ４０は、電子カメラ２が動画撮影中であることを示す制御信号をコネクタ２４を介して冷却装置６に対して出力する。従って、冷却装置６の駆動制御部５６は、コネクタ３０を介して入力された制御信号に基づいてファン３４を中速で回転させる（ステップＳ６）。これにより、吸気口３２から取り込まれた外気が常時冷却部２８に対して吹き付けられ、冷却部２８の温度上昇が防止される。
【００２１】
ここで、動画データは順次所定のファイル形式でメモリカード５１に記憶されるが（ステップＳ７）、中速で回転するファン３４の駆動音の音圧レベルは低く、また、カメラ筐体４は冷却装置６と分離されて密閉状態が維持されているため、動画撮影中に駆動されるファン３４の音は録音されにくい。
【００２２】
次に、ＣＰＵ４０は、動画撮影を停止させる停止ボタンが操作されたか否かの判定を行う（ステップＳ８）。停止ボタンが操作された場合（ステップＳ８：Ｙｅｓ）、ＣＰＵ４０は、動画データの記録を停止すると共に、電子カメラ２が動画撮影中であることを示す制御信号の出力を停止する。従って、冷却装置６の駆動制御部５６は、コネクタ３０を介して制御信号が入力されなくなるとファン３４の駆動を停止する（ステップＳ９）。
【００２３】
この実施の形態に係る電子カメラ２によれば、カメラ本体の密閉構造を維持したまま発熱部において発生した熱をカメラ外部に放出することができる。また、熱を冷却部２８に集熱させることにより効率よく電子カメラ２を冷却することができる。また、冷却時にカメラ筐体４の内部に外気を取り込む必要がないため、ゴミや粉塵等の異物の進入を防止することができる。また、第１の熱伝達部１４ａ及び第２の熱伝達部１４ｂは、断熱性の高い支持部材１８によりカメラ筐体４内の所定の位置に固定されているため、撮像素子１０や画像処理部１６において発生した熱がカメラ筐体４に伝達されにくい。また、冷却装置６の筐体は熱伝導率の低い材料で構成されているため冷却部２８の熱が冷却装置６の筐体に伝達されにくい。従って、操作者は熱による不快感を感じることなく電子カメラ２を操作することができる。
【００２４】
なお、上述の実施の形態においては、動画撮影中にファン３４を駆動する場合を例に説明したが、電源スイッチがオンされ、表示部４４にスルー画像が表示された時点でファン３４を駆動するようにしてもよい。これにより、静止画像を撮像する場合等においてもカメラ筐体４の密閉構造を維持したまま発熱部において発生した熱をカメラ外部に放出することができる。
【００２５】
また、撮像素子１０及び画像処理部１６の温度を計測する温度センサを設け、撮像素子１０または画像処理部１６の温度が所定の閾値を超えた場合にファン３４を駆動するようにしてもよい。例えば、ＣＰＵ４０は、撮像素子１０の温度が所定の閾値を超えた時にその旨を示す制御信号をコネクタ２４を介して冷却装置６に対して出力する。駆動制御部５６は、コネクタ３０を介して入力された制御信号に基づいてファン３４を駆動する。そして、撮像素子１０の温度が所定の閾値以下になり、コネクタ３０を介して制御信号が入力されなくなるとファン３４の駆動を停止するようにしてもよい。これにより、ファン３４を駆動することによる消費電力を低減させることができる。
【００２６】
また、上述の実施の形態においては、ファン３４により外気を冷却部２８に吹き付け、冷却部２８及びその周辺の熱せられた空気を強制的に排気することにより電子カメラ２を冷却する空冷方式を例に説明しているが、他の方法を用いて電子カメラ２を冷却するようにしてもよい。例えば、冷却装置６の内部に冷却水を循環させる水冷方式により冷却部２８を冷却するようにしてもよい。また、ペルチェ素子を用いて冷却部２８を冷却するようにしてもよい。
【００２７】
また、上述の実施の形態において、図６に示すように、カメラ筐体４の下面に放熱部２０の上にスライドさせることができる断熱カバー６０を備えるようにしてもよい。これにより、カメラ筐体４から冷却装置６を取外した状態においても、操作者は熱による不快感を感じることなく電子カメラ２を操作することができる。なお、断熱カバー６０は、放熱部２０から取外し可能なものでもよい。
【００２８】
また、上述の実施の形態においては、撮像素子１０及び画像処理部１６が発熱する場合を例に説明したが、ＣＰＵ４０等の撮像素子１０及び画像処理部１６以外の発熱部において発熱した熱を上述の実施の形態と同様の方法により放熱するようにしてもよい。
【００２９】
また、上述の実施の形態においては、動画の動画撮影中にファン３４を駆動しているが、ファン３４を駆動するためのファン駆動スイッチを設け、ファン駆動スイッチが操作された時にファン３４を駆動するようにしてもよい。
【００３０】
また、上述の実施の形態においては、支持部材１８に断熱材を用いているが、熱伝導性を有する部材を用い、第１の熱伝達部１４ａ及び第２の熱伝達部１４ｂから支持部材１８に伝達した熱をカメラ筐体４に伝達してカメラ筐体４から放熱するようにしてもよい。これにより、撮像素子１０及び画像処理部１６等において発生した熱を放熱部２０に集中させず、カメラ筐体４からも放熱させることができる。
【符号の説明】
【００３１】
２…電子カメラ、４…カメラ筐体、６…冷却装置、８…撮影レンズ、１０…撮像素子、１２ａ…第１の受熱部、１２ｂ…第２の受熱部、１４ａ…第１の熱伝達部、１４ｂ…第２の熱伝達部、１６…画像処理部、１８…支持部材、２０…放熱部、２２、２６…取付部、２４、３０…コネクタ、２８…冷却部、３４…ファン
【図１】
2013175959.tif 000003
【図２】
2013175959.tif 000004
【図３】
2013175959.tif 000005
【図４】
2013175959.tif 000006
【図５】
2013175959.tif 000007
【図６】
2013175959.tif 000008